(57)【特許請求の範囲】
【請求項１】
ケース本体(2) 内に引き出し自在とした引出しトレイ(1) の底板部（11）の両側を光ファイバーのコネクター(4)を配設した中央に比べ上段部（12）、（12）に形成して該上段部（12）、（12）の上面に入線用及び出線用の光ファイバーの余長ホルダー（5）を配設するとともに該上段部（12）、（12）の下面とケース本体（2）の底板部（21）の両側上面との間に空間部（3）を形成して、前記引出しトレイ(1) と外部配線を行うケーブルの余長分を保護する可撓性のケーブルガイド(6) を該ケーブルガイド(6) の一端を前記引出しトレイ(1) の底板部（21）の中央の背面側に取り付けるとともにその他端をケース本体(2) に取り付けて、引出しトレイ(1) がケース本体(2) 内に収納された状態にあるとき該可撓性のケーブルガイド(6) を前記空間部（3）に収納したことを特徴とする引出しユニット。
【請求項２】
可撓性のケーブルガイド(6) の他端をケース本体(2) の側面に取り付けた請求項１に記載の引出しユニット。
【請求項３】
可撓性のケーブルガイド(6) の少なくとも一端を着脱自在とした請求項１又は２に記載の引出しユニット。
【請求項４】
可撓性のケーブルガイド(6) のケース本体(2) への着脱をケース本体(2) の外側から自在とした請求項３に記載の引出しユニット。
【請求項５】
可撓性のケーブルガイド(6) が曲げ角度規制機能を備えたものである請求項１から４のいずれかに記載の引出しユニット。
【発明の詳細な説明】
【０００１】
【発明の属する技術分野】
本発明は、ケース本体内に引き出し自在とした引出しトレイに外部配線を施した引出しユニットに関するものである。
【０００２】
【従来の技術】
従来のケース本体内に引き出し自在とした引出しトレイに外部配線を施した引出しユニットは、引出しトレイの最大引き出し距離に対応できるようにケーブルに余長をとる必要がある。そのため、この余長部分を引出しユニットの内部に収納するものとしては図１０に示すようにケース本体５１の背面と引出しトレイ５２の背面との間にケーブル格納用のスペース５３を設けて収納している。
【０００３】
【発明が解決しようとする課題】
ところが、前記のような従来のものにあっては、スペース５３の分、ケース本体５１の奥行きを長くしなければならず、引出しユニットが大型化するという問題がある。
【０００４】
【課題を解決するための手段】
上記の課題を解決するためになされた本発明に係る引出しユニットは、ケース本体(2) 内に引き出し自在とした引出しトレイの底板部の両側を光ファイバーのコネクターを配設した中央に比べ上段部に形成して該上段部の上面に入線用及び出線用の光ファイバーの余長ホルダーを配設するとともに該上段部の下面とケース本体の底板部の両側上面との間に空間部を形成して、前記引出しトレイと外部配線を行うケーブルの余長分を保護する可撓性のケーブルガイドを該ケーブルガイドの一端を前記引出しトレイの底板部の中央の背面側に取り付けるとともにその他端をケース本体に取り付けて、引出しトレイがケース本体内に収納された状態にあるとき該可撓性のケーブルガイドを前記空間部に収納したことを特徴とするものである。そして、可撓性のケーブルガイドの他端をケース本体の側面に取り付けものが好ましく。また、可撓性のケーブルガイドの少なくとも一端を着脱自在とし、特にケーブルガイドのケース本体への着脱をケース本体の外側から自在としたものが好ましい。さらに、可撓性のケーブルガイドが曲げ角度規制機能を備えたものであることがより好ましい。
【０００５】
【発明の実施の形態】
次に、本発明の好ましい実施の形態を図面により説明する。１はケース本体２に引き出し自在に収納した光ファイバー接続部を収納した引出しトレイである。この引出しトレイ１は底板部１１の両側を中央に比べ上段部１２、１２に形成して該上段部１２、１２の側端に側板部１３、１３を立設したもので、該引出しトレイ１は前記ケース本体２の底板部２１の上面中央に底板部１１の中央の下面を添わせるとともに側板部１３、１３の外面をケース本体２の側板部２２、２２の上部に添わせて上段部１２、１２の下面とケース本体２の底板部２１の両側上面との間に空間部３を形成してケース本体２に収納されるものである。
【０００６】
また、該引出しトレイ１は図６に示すように引き出し後に前傾させて引きだし状態を保持する構成とされている。すなわち、引出しトレイ１の両側板部１３、１３に水平方向にレール溝１４を設け、該レール溝１４をケース本体２の側板部２２の内面前方に突設した突起２３にスライド自在に係合し、引出しトレイ１を引きだし後に突起２３がレール溝１４の基端孔縁をもって保持すると共に、引出しトレイ１の両側板部１３、１３の上端基端に形成した後方下向きの略３０°の傾斜面部１３ａをケース本体２の側板部２２の上端に内向きに連設したガイド板部２２ａに当接させ略３０°の角度で前傾させて引きだし状態を保持するものとしている。この場合にトレイ１の底板部１１の後端を前記傾斜面部１３ａと平行な傾斜板部１１ａに形成してケース本体２の底板部２１の前縁に係合するものとしている。４は前記引出しトレイ１の底板部１１の中央に前後に一連に配設した光ファイバーのコネクター、５は上段部１２、１２の上面に配設した入線用及び出線用の光ファイバーの余長ホルダーである。
【０００７】
６、６は引出しトレイ１に外部配線を施すための引出しトレイ１の引き出し距離に応じたケーブルの余長分を保護するため該引出しトレイ１とケース本体２との間に配設した可撓性のケーブルガイドである。該可撓性のケーブルガイド６は光ファイバーケーブルが機能を損なう曲率半径以下に彎曲しないように曲げ角度規制機能を備えたものが好ましい。
【０００８】
この各ケーブルガイド６は一端を前記引出しトレイ１の背面側の底板部１１の中央に設けたケーブルガイド接続部７に取り付けるとともに、他端をケース本体２の側面前方にすなわち両側板部２２、２２の前方に設けた透孔であるケーブルガイド接続口８に取り付けて、引出しトレイ１がケース本体２内に収納された状態にあるときに前記空間部３に収納されて引出しトレイ１に対して立体的に収納されている。また、各ケーブルガイド６の両端とケーブルガイド接続部７及びケーブルガイド接続口８の取り付け方法は着脱自在とすることによりケーブルガイド６へのケーブルの挿入作業を容易とするこができるので少なくとも一端を着脱自在とすることが好ましい。
【０００９】
このケーブルガイド６を接続部７に着脱自在に取り付ける構造をさらに詳しく説明すると、図４に示すように、Ｌ字状に成型した固定片７１と可動片７２を引出しトレイ１の底板部１１の後端に互いに向かい合うように配設し、固定片７１は基端部７１ａを溶接等により底板部１１に固着するとともに、可動片７２は基端部７２ａに設けた長孔７２ｂを底板部１１に取付ネジ７３で止めることにより、底板部１１に摺動自在としたものである。このような構造にケーブルガイド６に端部をはさみ、適度の力で係止できるよう可動片７２の位置を調節し、取付ネジ７３で可動片７２を固定すればよい。さらに、このケーブルガイド６を接続口８に取り付ける場合は、図５に示すように、固定片７１をケース本体２のケーブルガイド接続口８近傍の底板部２１上に立設し、可動片７２の先端部７２ｃをケーブルガイド接続口８にケース本体２の外側から挿通させるとともに、基端部７２ａを長孔７２ｂを介して取付ネジ７３で側板部２２に外側から止めるようにしたものである。これによりケーブルガイド６の着脱がケース本体２の外側から可能となり、引出しトレイ１がケース本体２に収納された状態で、ケーブルガイド接続口８よりケーブルガイド６を引き出して配線を行うことができ、配線作業を効率的に行うことができる。
【００１０】
なお、前記の可撓性のケーブルガイド６は図７から図９に示すように、底板部３１の両側に側板部３２、３２を立設した長さの短いＵ字状のケーブル保護枠体３０の多数個を相隣る底板部３１の前後を水平方向に回動可能に及び上下方向に揺動可能に連結し、左右方向及び上下方向に彎曲できる可撓性のものである。すなわち、ケーブル保護枠体３０は底板部３１の一方の端部側を連結差込板部３１ａに形成するとともに他方の端部側を前記連結差込板部３１ａが遊嵌できるスリット３１ｃを設けた連結受板部３１ｂに形成したうえ、該連結差込板部３１ａの表裏面に連結突起３３ａ、３３ａを突設して連結受板部３１ｂに該連結突起３３ａが上下に間隙を確保して遊嵌できる連結孔３３ｂを設けたものとして、ケーブル保護枠体１の相隣る連結差込板部３１ａを連結受板部３１ｂのスリット３１ｃに係合したう該連結突起３３ａを連結孔３３ｂに嵌合することにより、相隣る底板部３１の前後を水平方向に回動可能に及び上下方向に揺動可能に連結している。さらに、底板部３１の一方の端部側の両側を切欠するとともに他方の端部側の両側を切欠して切欠端面と同一レベルとして、彎曲時に内側となる端面３４、３４同士が当接して一定の曲率以下に彎曲しないように規制する曲げ角度規制機能を備えたものとしている。
【００１１】
このように構成されたものは、ケース本体２を該ケース本体２の両側外面に張設した鍔板部２ａ、２ａをもってラック９に水平に取り付け、ケース本体２を介して光ファイバー接続箱よりなる引出しトレイ１に入線用及び出線用の光ファイバーケーブルを引き込むものであるが、可撓性のケーブルガイド６が一端を引出しトレイ１の背面側に設けたケーブルガイド接続部７に取り付けるとともに他端をケース本体２の側面前方に設けたケーブルガイド接続口８に取り付けてあるので、該ケーブルガイド６に挿入した引出しトレイ１の引き出し距離に対応するケーブルの余長分は的確に保護されるものである。
【００１２】
また、該可撓性のケーブルガイド６は引出しトレイ１がケース本体２内に収納された状態にあるときに引出しトレイ１に対して立体的に収納されるものであるから、引出しトレイ１の背面とケース本体２の背面との間にケーブル収納用のスペースをとる必要がないので引出しユニットを小型化できるという利点を有する。さらに、可撓性のケーブルガイド６の少なくとも一端を着脱自在とすることにより、光ファイバーケーブルをケーブルガイド６に挿入する際にケーブルガイド６を接続部７から外し、引き出した引出しトレイ１の上に引き出して配線作業を行うことができ作業性を向上できるものである。また、ケーブル接続口８の可動片７２を側板部２２に取り付けことによりケーブル接続口８よりケーブルガイド６を引き出すことを容易にし、ケース本体２の外側からの配線作業を向上させたものである。さらに、可撓性のケーブルガイド６を曲げ角度規制機能を備えたものして、光ファイバーケーブルが機能を損なう曲率半径以下に彎曲しないものとすることにより、該ケーブルガイド６に光ファイバーケーブルを挿入するのみで引出しトレイ１の出し入れにあっても光ファイバーケーブルを的確に保護できるものである。
【００１３】
さらに、引出しトレイ１は引きだし状態を略３０°の角度で前傾させて保持されるので、引出しトレイ１の前方が低く後方が高くなるので後方箇所における光ファイバーケーブルを引き込む作業やコネクター３に接続する作業が容易となるばかりでなく、保守点検時においても死角が少ないものとなる利点もある。しかも、一端を引出しトレイ１の背面側に取り付けたケーブルガイド６の他端はケース本体２の側面に取り付けられていることにより、ケース本体２へのケーブルの引き込みが側面から行われることとなるので、ケース本体２の背面を壁面等に臨ませた状態でケーブルの引き込み作業を行うことができる。
【００１４】
【００１５】
【発明の効果】
本発明は前記したように、可撓性のケーブルガイドを引出しトレイがケース本体内に収納された状態にあるときに引出しトレイに対して立体的に収納されるものであるから、引出しトレイの背面とケース本体の背面との間にケーブル収納用のスペースをとる必要がないので引出しユニットを小型化できるという利点を有する。従って、本発明は従来の問題点を解消した引出しユニットを提供したもので、極めて有用なものである。
【図面の簡単な説明】
【図１】本発明の実施の形態を示す一部切平面図である。
【図２】本発明の実施の形態を示す横断面図である。
【図３】本発明の実施の形態を態様を異にして示す一部切平面図である。
【図４】本発明に使用する可撓性のケーブルガイドの着脱の構造を示す平面図である。
【図５】本発明に使用する可撓性のケーブルガイドの着脱の構造の他の例を示す平面図である。
【図６】本発明の実施の形態を態様を異にして示す側面図である。
【図７】本発明に使用する可撓性のケーブルガイドの代表例を示す平面図である。
【図８】本発明に使用する可撓性のケーブルガイドの代表例を示す側面図である。
【図９】本発明に使用する可撓性のケーブルガイドを構成するケーブル保護枠体を示す斜視図である。
【図１０】従来例の概略斜視図である。
【符号の説明】
１  引き出しトレイ
11  底板部
12  上段部
２  ケース本体
21  底板部
６  可撓性のケーブルガイド
【図１】
0003922614.tif 000002
【図２】
0003922614.tif 000003
【図３】
0003922614.tif 000004
【図４】
0003922614.tif 000005
【図５】
0003922614.tif 000006
【図６】
0003922614.tif 000007
【図７】
0003922614.tif 000008
【図８】
0003922614.tif 000009
【図９】
0003922614.tif 000010
【図１０】
0003922614.tif 000011